(57)【要約】【課題】より高音質で信号を再生出力することのできる再生装置等を提供することである。【解決手段】２ｃｈリニアＰＣＭ再生部１１は、ＤＶＤの２ｃｈリニアＰＣＭを再生する場合に、再生した再生信号をＤ／Ａコンバータ１４及び６１９３７インタフェース１６に供給する。なお、デジタル信号は、ＩＥＣ６１９３７規格の２ｃｈ信号に圧縮されている。一方、制御部３５は、６１９３７インタフェース３３にてデジタル信号を入力しており、かつ、アナログ入力部３１にてアナログ信号を入力している場合に、セレクタ３４にアナログ入力部３１が入力したアナログ信号を選択させる。つまり、２ｃｈリニアＰＣＭ再生部１１にてＤＶＤから再生された再生信号であり、ＩＥＣ６１９３７の２ｃｈ信号に圧縮したデジタル信号よりも高音質のアナログ信号であるため、そのアナログ信号を選択してアンプ３６に供給させる。【選択図】図１
2007213700.tif 000002
【特許請求の範囲】
【請求項１】
所定規格の音声データからデジタル信号を再生するデジタル再生手段と、
前記デジタル再生手段により再生されたデジタル信号を、所定の非圧縮方式による伝送規格に対応したデジタル信号にて出力する第１の出力手段と、
前記デジタル再生手段により再生されたデジタル信号を、所定の圧縮方式による伝送規格に対応したデジタル信号にて出力する第２の出力手段と、を備え、
前記デジタル再生手段が再生する際に、記録された音声データの種別に応じて、前記第１及び第２の出力手段の何れか一方から出力する、
ことを特徴とする再生装置。
【請求項２】
前記デジタル再生手段により再生されたデジタル信号をアナログ信号にて出力する第３の出力手段を更に備えることを特徴とする請求項１に記載の再生装置。
【請求項３】
前記デジタル再生手段は、暗号化されたリニアＰＣＭ（Pulse Code Modulation）信号を再生する際に、再生したデジタル信号を圧縮して前記第２の出力手段を介して出力させる、
ことを特徴とする請求項１又は２に記載の再生装置。
【請求項４】
前記デジタル再生手段は、音楽ＣＤ（Compact Disc）からデジタル信号を再生する際に、前記第１の出力手段を介して出力させ、音楽ＤＶＤ（Digital Versatile Disk）からデジタル信号を再生する際に、前記第２の出力手段を介して出力させる、
ことを特徴とする請求項１乃至３の何れか１項に記載の再生装置。
【請求項５】
外部から供給され得る複数の伝送規格に対応した音声信号を切り替えて入力する入力切替装置であって、
所定の非圧縮方式による伝送規格に対応したデジタル信号を入力する第１の入力手段と、
所定の圧縮方式による伝送規格に対応したデジタル信号を入力する第２の入力手段と、
アナログ信号を入力する第３の入力手段と、
前記第１、第２及び第３の入力手段が入力した何れかの信号を選択する選択手段と、
前記選択手段を制御する制御手段と、を備え、
前記制御手段は、前記第１、第２及び第３の入力手段が入力している信号の入力状態に応じて、より高音質となる何れかの信号を特定し、特定した信号を前記選択手段に選択させる、
ことを特徴とする入力切替装置。
【請求項６】
前記制御手段は、前記第１の入力手段がデジタル信号を入力している場合に、前記選択手段に前記第１の入力手段が入力したデジタル信号を選択させ、前記第２の入力手段がデジタル信号を入力しており、かつ、前記第３の入力手段がアナログ信号を入力している場合に、前記選択手段に前記第３の入力手段が入力したアナログ信号を選択させる、
ことを特徴とする請求項５に記載の入力切替装置。
【請求項７】
前記制御手段は、前記第２の入力手段がデジタル信号を入力しており、かつ、前記第３の入力手段がアナログ信号を入力していない場合に、前記選択手段に前記第２の入力手段が入力したデジタル信号を選択させる、
ことを特徴とする請求項６に記載の入力切替装置。
【発明の詳細な説明】
【技術分野】
【０００１】
この発明は、再生装置および入力切替装置に関する。
【背景技術】
【０００２】
従来より、音楽ＣＤや音楽ＤＶＤ等を再生するプレイヤから送られる再生信号（オーディオ信号等）を適宜増幅し、スピーカシステム等に出力するＡＶアンプが広く使用されている。このようなＡＶアンプは、デジタルケーブルやアナログケーブルを介してプレイヤと接続される。そして、これらケーブルを介してデジタル信号やアナログ信号（再生信号）を、ＡＶアンプに供給する構成が一般的に採用されている。なお、プレーヤは、デジタルケーブル及びアナログケーブルの双方が接続されている場合に、これらを介してデジタル信号及びアナログ信号を同時に出力（伝送）する。
そして、ＡＶアンプは、デジタル信号が供給された場合に、そのデジタル信号を処理して再生し、また、デジタル信号が供給されない場合（アナログ信号だけが供給された場合）に、アナログ信号を処理して再生していた。つまり、より高音質となるデジタル信号を優先して再生処理を行っていた。
【０００３】
このようなデジタル信号の方が高音質で再生処理できるという思想に基づいて、入力信号（プレイヤから供給されるデジタル信号やアナログ信号）の切り替えを適宜行うことのできる入力切替装置の技術も開示されている（例えば、特許文献１参照）。
【特許文献１】特開２００２−１７５６６１号公報  （第４−５頁、第１図）
【０００４】
ところで、プレイヤとＡＶアンプとの間で、デジタル信号を伝送する規格として、ＩＥＣ６０９５８（２ｃｈリニアＰＣＭ）や、ＩＥＣ６１９３７（圧縮マルチチャンネル）が規格化され使用されている。なお、これらの規格は、一般に同一のデジタルケーブル（ケーブルやコネクタ）が伝送の際に使用され、再生信号の形態（２ｃｈリニアＰＣＭや圧縮マルチチャンネル）に応じて、適宜使い分けられている。
例えば、ＣＤやＤＶＤの２ｃｈリニアＰＣＭ信号は、デジタルケーブル上をＩＥＣ６０９５８にて伝送され、一方、ＤＶＤのマルチチャンネル信号は、同じデジタルケーブル上をＩＥＣ６１９３７にて伝送されていた。
つまり、従来では、種々のデジタル信号の伝送が許可されていたので、１本のデジタルケーブルでプレーヤ側とＡＶアンプとが接続されていれば、これらの規格に沿って、デジタル信号が伝送され、ＡＶアンプにて再生処理を行うことが可能であった。
【０００５】
最近では、高音質での適切な再生を意図して、規格の見直しや新たな規格が順次策定されており、ＤＶＤ−ＡｕｄｉｏやＳＡＣＤ（Super Audio CD）などの高音質記録媒体の規格も現実に導入されつつある。これらの高音質記録媒体では、その高音質な音楽データと共に著作権をも保護するために暗号化処理が施されているのが一般的になりつつある。特に極めて高音質な再生信号（原音に忠実な非圧縮のデジタル信号）を提供する２ｃｈ再生（リニアＰＣＭ）では、暗号化処理が特に重要な意味を持つことになる。
【発明の開示】
【発明が解決しようとする課題】
【０００６】
しかしながら、高音質記録媒体に折角暗号化して音楽データを記録したとしても、プレーヤ側が再生したリニアＰＣＭをＩＥＣ６０９５８を使用してＡＶアンプに出力（伝送）してしまっては、高音質記録媒体を適切に保護しようとする製作者側等の意図に反するおそれが生じてしまう。そのため、今後の規格では、暗号化された信号のリニアＰＣＭ出力を禁止する可能性が極めて大きくなっている。
【０００７】
この発明は、上記実状に鑑みてなされたもので、暗号化された信号のリニアＰＣＭ出力が禁止された場合でも、ユーザの利便性を損なうことなく、可能な限り高音質で信号を再生出力することのできる再生装置および入力切替装置を提供することを目的とする。
【課題を解決するための手段】
【０００８】
上記目的を達成するため、本発明の第１の観点に係る再生装置は、
所定規格の音声データからデジタル信号を再生するデジタル再生手段と、
前記デジタル再生手段により再生されたデジタル信号を、所定の非圧縮方式による伝送規格に対応したデジタル信号にて出力する第１の出力手段と、
前記デジタル再生手段により再生されたデジタル信号を、所定の圧縮方式による伝送規格に対応したデジタル信号にて出力する第２の出力手段と、を備え、
前記デジタル再生手段が再生する際に、記録された音声データの種別に応じて、前記第１及び第２の出力手段の何れか一方から出力する、
ことを特徴とする。
【０００９】
上記の再生装置は、前記デジタル再生手段により再生されたデジタル信号をアナログ信号にて出力する第３の出力手段を更に備えてもよい。
【００１０】
前記デジタル再生手段は、暗号化されたリニアＰＣＭ信号を再生する際に、再生したデジタル信号を圧縮して前記第２の出力手段を介して出力させてもよい。
【００１１】
前記デジタル再生手段は、音楽ＣＤからデジタル信号を再生する際に、前記第１の出力手段を介して出力させ、音楽ＤＶＤからデジタル信号を再生する際に、前記第２の出力手段を介して出力させてもよい。
【００１２】
上記目的を達成するため、本発明の第２の観点に係る入力切替装置は、
外部から供給され得る複数の伝送規格に対応した音声信号を切り替えて入力する入力切替装置であって、
所定の非圧縮方式による伝送規格に対応したデジタル信号を入力する第１の入力手段と、
所定の圧縮方式による伝送規格に対応したデジタル信号を入力する第２の入力手段と、
アナログ信号を入力する第３の入力手段と、
前記第１、第２及び第３の入力手段が入力した何れかの信号を選択する選択手段と、
前記選択手段を制御する制御手段と、を備え、
前記制御手段は、前記第１、第２及び第３の入力手段が入力している信号の入力状態に応じて、より高音質となる何れかの信号を特定し、特定した信号を前記選択手段に選択させる、
ことを特徴とする。
【００１３】
前記制御手段は、前記第１の入力手段がデジタル信号を入力している場合に、前記選択手段に前記第１の入力手段が入力したデジタル信号を選択させ、前記第２の入力手段がデジタル信号を入力しており、かつ、前記第３の入力手段がアナログ信号を入力している場合に、前記選択手段に前記第３の入力手段が入力したアナログ信号を選択させてもよい。
【００１４】
前記制御手段は、前記第２の入力手段がデジタル信号を入力しており、かつ、前記第３の入力手段がアナログ信号を入力していない場合に、前記選択手段に前記第２の入力手段が入力したデジタル信号を選択させてもよい。
【発明の効果】
【００１５】
本発明によれば、暗号化された信号のリニアＰＣＭ出力が禁止された場合でも、ユーザの利便性を損なうことなく、可能な限り高音質で信号を再生出力することができる。
【発明を実施するための最良の形態】
【００１６】
本発明の実施の形態にかかるオーディオシステムについて、以下図面を参照して説明する。
【００１７】
（実施形態１）
図１は、この発明の実施の形態に適用されるオーディオシステムの構成の一例を示すブロックである。図示するように、このシステムは、デジタル再生機器１０と、アナログ再生機器２０と、ＡＶ（Audio Visual）アンプ３０とを含んで構成される。
なお、デジタル再生機器１０とＡＶアンプ３０とは、アナログケーブルＡＣ及びデジタルケーブルＤＣを介して着脱自在に接続されている。また、アナログ再生機器２０とＡＶアンプ３０ともアナログケーブルを介して着脱自在に接続されている。
【００１８】
デジタル再生機器１０は、例えば、音楽ＣＤ（Compact Disc）や音楽ＤＶＤ（Digital Versatile Disk）等を再生可能なプレイヤ等からなり、装着された記録媒体（ＣＤやＤＶＤ等）から音楽データ（音声データ）を読み出し、デコード等を行って得た再生信号をＡＶアンプ３０に供給する。
具体的にデジタル再生機器１０は、２ｃｈ（チャンネル）リニアＰＣＭ（Pulse Code Modulation）再生部１１と、圧縮２ｃｈ再生部１２と、マルチチャンネル再生部１３と、Ｄ／Ａ（Digital/Analog）コンバータ１４と、６０９５８インタフェース１５と、６１９３７インタフェース１６とを含んで構成される。
【００１９】
２ｃｈリニアＰＣＭ再生部１１は、ＣＤやＤＶＤ等に２ｃｈリニアＰＣＭにて記録された音楽データ等を再生する。
具体的に、２ｃｈリニアＰＣＭ再生部１１は、ＤＶＤの２ｃｈリニアＰＣＭ（例えば、暗号化されて記録されている）を再生する場合に、再生した再生信号をＤ／Ａコンバータ１４及び、６１９３７インタフェース１６（６１９３７  ２ｃｈ１６ａ）に供給する。なお、６１９３７インタフェース１６に供給する際に、２ｃｈリニアＰＣＭ再生部１１は、ＩＥＣ６１９３７規格の２ｃｈ信号に圧縮（デコード）する。
また、２ｃｈリニアＰＣＭ再生部１１は、ＣＤの２ｃｈリニアＰＣＭを再生する場合に、再生した再生信号（デジタル信号）をＤ／Ａコンバータ１４及び、６０９５８インタフェース１５に供給する。
【００２０】
圧縮２ｃｈ再生部１２は、ＤＶＤ等に圧縮２ｃｈにて記録された音声データ等を再生する。
例えば、圧縮２ｃｈ再生部１２は、ドルビーデジタル（商標）等の音声を再生する場合に、再生した再生信号（デジタル信号）を６１９３７インタフェース１６（６１９３７  ２ｃｈ１６ａ）に供給する。
【００２１】
マルチチャンネル再生部１３は、ＤＶＤ等にマルチチャンネルにて記録された音声データ等を再生する。
例えば、圧縮２ｃｈ再生部１２は、６ｃｈ（５．１ｃｈ）のサラウンド音声を再生する場合に、再生した再生信号（デジタル信号）を６１９３７インタフェース１６（６１９３７  Ｍｕｌｔｉ１６ｂ）に供給する。
【００２２】
Ｄ／Ａコンバータ１４は、２ｃｈリニアＰＣＭ再生部１１により再生された再生信号（デジタル信号）をアナログ信号に変換する。
例えば、Ｄ／Ａコンバータ１４は、２ｃｈリニアＰＣＭ再生部１１がＤＶＤを再生する場合に、サンプリング周波数を９６ｋＨｚで、また、量子化ビットを２４ビット（若しくは２０ビット）でアナログ信号に変換する。
また、Ｄ／Ａコンバータ１４は、２ｃｈリニアＰＣＭ再生部１１がＣＤを再生する場合に、サンプリング周波数を４４．１ｋＨｚで、また、量子化ビットを１６ビットでアナログ信号に変換する。
Ｄ／Ａコンバータ１４は、変換したアナログ信号をアナログケーブルＡＣを介してＡＶアンプ３０に供給する。
【００２３】
６０９５８インタフェース１５は、ＩＥＣ６０９５８規格（非圧縮方式による伝送規格）に沿った送信用インタフェースからなる。６０９５８インタフェース１５は、２ｃｈリニアＰＣＭ再生部１１がＣＤから再生したデジタル信号（２ｃｈリニアＰＣＭ信号）を、デジタルケーブルＤＣを介してＡＶアンプ３０に供給する。
【００２４】
６１９３７インタフェース１６は、ＩＥＣ６１９３７規格（圧縮方式による伝送規格）に沿った送信用インタフェースからなる。なお、６１９３７インタフェース１６は、２ｃｈ用の６１９３７  ２ｃｈ１６ａと、マルチチャンネル用の６１９３７  Ｍｕｌｔｉ１６ｂとに適用可能となっている。
６１９３７インタフェース１６は、２ｃｈリニアＰＣＭ再生部１１がＤＶＤから再生したデジタル信号（ＩＥＣ６１９３７の２ｃｈ信号にデコードされたデジタル信号）、圧縮２ｃｈ再生部１２が再生したデジタル信号（ドルビーデジタル（商標）等）、及び、マルチチャンネル再生部１３が再生したデジタル信号（６ｃｈサラウンド等）を、デジタルケーブルＡＣを介してＡＶアンプ３０に供給する。
【００２５】
すなわち、このような構成のデジタル再生機器１０は、図２に示すように、デジタルソースの種別に応じて、アナログケーブルＡＣ及びデジタルケーブルＤＣを介して、再生信号をＡＶアンプ３０に供給する。
【００２６】
また、アナログ再生機器２０は、所定のアナログ音声を再生するプレイヤ等からなり、装着された記録媒体（例えば、カセットテープ等）から音声データを読み出して得た再生信号（アナログ信号）をＡＶアンプ３０に供給する。
【００２７】
一方、ＡＶアンプ３０は、デジタル再生機器１０やアナログ再生機器２０から供給される再生信号を適宜増幅し、スピーカシステム等に出力する。
具体的にＡＶアンプ３０は、アナログ入力部３１と、６０９５８インタフェース３２と、６１９３７インタフェース３３と、セレクタ３４と、制御部３５と、アンプ３６とを含んで構成される。
【００２８】
アナログ入力部３１は、アナログケーブルＡＣを介してデジタル再生機器１０から供給される再生信号（アナログ信号）を入力する。
また、アナログ入力部３１は、アナログ再生機器２０から供給される再生信号（アナログ信号）を入力する。
アナログ入力部３１は、入力したアナログ信号をセレクタ３４に供給する。
【００２９】
６０９５８インタフェース３２は、ＩＥＣ６０９５８規格に沿った受信用インタフェースからなる。６０９５８インタフェース３２は、デジタルケーブルＤＣを介してデジタル再生機器１０から供給されたデジタル信号（２ｃｈリニアＰＣＭ信号）を受信する。つまり、２ｃｈリニアＰＣＭ再生部１１がＣＤを再生した際に供給されるデジタル信号を受信する。
６０９５８インタフェース３２は、受信したデジタル信号をデコード等してセレクタ３４に供給する。
【００３０】
６１９３７インタフェース３３は、ＩＥＣ６１９３７規格に沿った受信用インタフェースからなる。なお、６１９３７インタフェース３３は、２ｃｈ用の６１９３７  ２ｃｈ３３ａと、マルチチャンネル用の６１９３７  Ｍｕｌｔｉ３３ｂとに適用可能となっている。  ６１９３７インタフェース３３は、デジタルケーブルＤＣを介してデジタル再生機器１０から供給されたデジタル信号を受信する。つまり、２ｃｈリニアＰＣＭ再生部１１がＤＶＤから再生したデジタル信号（ＩＥＣ６１９３７の２ｃｈ信号にデコードされたデジタル信号）、圧縮２ｃｈ再生部１２が再生したデジタル信号（ドルビーデジタル（商標）等）、及び、マルチチャンネル再生部１３が再生したデジタル信号（６ｃｈサラウンド等）のいずれかのデジタル信号を受信する。
６１９３７インタフェース３３は、受信したデジタル信号をセレクタ３４に供給する。
【００３１】
セレクタ３４は、制御部３５に制御され、アナログ入力部３１、６０９５８インタフェース３２、及び、６１９３７インタフェース３３が受信（入力）した再生信号から１つの信号を選択して、アンプ３６に供給する。
具体的にセレクタ３４は、アナログ入力部３１、６０９５８インタフェース３２、及び、６１９３７インタフェース３３から供給される再生信号の有無を制御部３５に通知する。そして、制御部３５がデジタル再生機器１０等の再生状況を判別すると、制御部３５からの切り替え指示に応じて、１つの再生信号を選択して、アンプ３６に供給する。
【００３２】
制御部３５は、ＣＰＵ（Central Processing Unit）、ＲＯＭ（Read Only Memory）及び、ＲＡＭ（Random Access Memory）を含んだ１チップマイコン等からなり、ＡＶアンプ３０全体を制御する。
具体的に制御部３５は、デジタル再生機器１０等の再生状況を判別して、セレクタ３４等を制御し、より高音質の再生信号をアンプ３６に供給させる。
【００３３】
例えば、制御部３５は、図３に示すように、デジタル再生機器１０等の再生状況を判別して、いずれかの再生信号をセレクタ３４に選択させる。
まず、デジタル再生機器１０にてＣＤが再生されている状態で、６０９５８インタフェース３２にてデジタル信号の受信を検出した場合に、制御部３５は、セレクタ３４にそのデジタル信号を選択させ、アンプ３６に供給する。なお、６０９５８インタフェース３２にてデジタル信号の受信を検出しない場合（デジタルケーブルＤＣが接続されていない場合等）に、セレクタ３４にアナログ入力部３１が入力したアナログ信号を選択させ、アンプ３６に供給する。
【００３４】
また、デジタル再生機器１０にてＤＶＤが再生されている状態で、６１９３７インタフェース３３にてデジタル信号の受信を検出し、そのデジタル信号が２ｃｈ（６１９３７  ２ｃｈ３３ａ）であると検出し、かつ、アナログ入力部３１にてアナログ信号の入力を検出した場合に、制御部３５は、セレクタ３４にそのアナログ信号を選択させ、アンプ３６に供給する。つまり、２ｃｈリニアＰＣＭ再生部１１にてＤＶＤから再生された再生信号であり、ＩＥＣ６１９３７の２ｃｈ信号に圧縮したデジタル信号よりも高音質のアナログ信号であるため、そのアナログ信号を選択してアンプ３６に供給させる。
一方、６１９３７インタフェース３３にてデジタル信号の受信を検出し、そのデジタル信号が２ｃｈ（６１９３７  ２ｃｈ３３ａ）であると検出し、かつ、アナログ入力部３１にてアナログ信号の入力を検出しない場合に、制御部３５は、セレクタ３４にそのデジタル信号を選択させ、アンプ３６に供給する。つまり、６１９３７インタフェース３３にて受信した再生信号が、圧縮２ｃｈ再生部１２にて再生されたデジタル信号（ドルビーデジタル（商標）等）であるため、そのデジタル信号を選択してアンプ３６に供給させる。
なお、２ｃｈリニアＰＣＭ再生部１１にて圧縮されたデジタル信号を検出し、アナログ信号の入力を検出しない場合（アナログケーブルＡＣが接続されていない場合等）にも、制御部３５は、セレクタ３４にそのデジタル信号を選択させ、アンプ３６に供給する。
【００３５】
また、６１９３７インタフェース３３にてデジタル信号の受信を検出し、かつ、そのデジタル信号がマルチチャンネル（６１９３７  Ｍｕｌｔｉ３３ｂ）であると検出した場合に、制御部３５は、セレクタ３４にそのデジタル信号を選択させ、アンプ３６に供給する。つまり、６１９３７インタフェース３３にて受信した再生信号が、マルチチャンネル再生部１３にて再生されたデジタル信号（６ｃｈサラウンド等）であるため、そのデジタル信号を選択してアンプ３６に供給させる。
【００３６】
なお、アナログ再生機器２０にて所定の記録媒体が再生されている場合、アナログ入力部３１だけにてアナログ信号の受信を検出するため、制御部３５は、セレクタ３４にそのアナログ信号を選択させ、アンプ３６に供給する。
【００３７】
アンプ３６は、セレクタ３４が選択した再生信号を適宜増幅し、図示せぬ所定のスピーカシステムに出力する。
【００３８】
以下、この発明の実施の形態にかかるオーディオシステムの動作について、図４を参照して説明する。
図４は、ＡＶアンプ３０（制御部３５）にて実行される入力切替処理を説明するためのフローチャートである。この入力切替処理は、デジタル再生機器１０から再生信号が供給された際に開始される。
【００３９】
まず、制御部３５は、６０９５８インタフェース３２にてデジタル信号の受信を検出したか否かを判別する（ステップＳ１）。つまり、２ｃｈリニアＰＣＭ再生部１１にてＣＤが再生されている状態であるか否かを判別する。
【００４０】
制御部３５は、６０９５８のデジタル信号の受信を検出したと判別すると、そのデジタル信号をセレクタ３４に選択させ、アンプ３６に供給する（ステップＳ２）。つまり、ＣＤの再生に伴う２ｃｈリニアＰＣＭのデジタル信号を選択して、アンプ３６に供給する。
【００４１】
また、上述のステップＳ１にて６０９５８のデジタル信号の受信を検出していないと判別した場合に、制御部３５は、６１９３７インタフェース３３にてデジタル信号の受信を検出したか否かを判別する（ステップＳ３）。
そして、６１９３７のデジタル信号の受信を検出したと判別すると、制御部３５は、そのデジタル信号が２ｃｈ（６１９３７  ２ｃｈ３３ａ）であるか否かを判別する（ステップＳ４）。
【００４２】
制御部３５は、２ｃｈ（６１９３７  ２ｃｈ３３ａ）のデジタル信号であると判別すると、アナログ入力部３１にてアナログ信号の受信を検出したか否かを判別する（ステップＳ５）。つまり、デジタル再生機器１０にてＤＶＤの２ｃｈリニアＰＣＭ若しくは、圧縮２ｃｈ（ドルビーデジタル（商標）等）の何れかが再生されているのかを判別する。
【００４３】
制御部３５は、アナログ信号の入力を検出したと判別すると、そのアナログ信号をセレクタ３４に選択させ、アンプ３６に供給する（ステップＳ６）。つまり、２ｃｈリニアＰＣＭ再生部１１にてＤＶＤから再生された再生信号であり、ＩＥＣ６１９３７の２ｃｈ信号に圧縮したデジタル信号よりも高音質のアナログ信号であるため、そのアナログ信号を選択してアンプ３６に供給させる。
【００４４】
一方、アナログ信号の入力を検出していないと判別した場合、又は、上述のステップＳ４にて２ｃｈでない（マルチチャンネルであるである）と判別した場合に、制御部３５は、そのデジタル信号をセレクタ３４に選択させ、アンプ３６に供給する（ステップＳ７）。つまり、圧縮２ｃｈ再生部１２にて再生されたデジタル信号（ドルビーデジタル（商標）等）や、マルチチャンネル再生部１３にて再生されたデジタル信号（６ｃｈサラウンド等）であるため、そのデジタル信号を選択してアンプ３６に供給させる。
【００４５】
また、上述のステップＳ３にて６１９３７のデジタル信号の受信を検出していないと判別した場合に、制御部３５は、アナログ入力部３１にてアナログ信号の受信を検出したか否かを判別する（ステップＳ８）。
そして、アナログ信号の入力を検出したと判別すると、制御部３５は、そのアナログ信号をセレクタ３４に選択させ、アンプ３６に供給する（ステップＳ９）。つまり、アナログ再生機器２０から供給されたアナログ信号（若しくは、デジタルケーブルＤＣが接続されていない状態でデジタル再生機器１０から供給されたアナログ信号）であるため、そのデジタル信号を選択してアンプ３６に供給させる。
【００４６】
なお、上述のステップＳ８にてアナログ信号の受信がないと判別した場合、どこからも再生信号が供給されていない状態であるため、制御部３５は、そのまま入力切替処理を終える。
【００４７】
このように、上述した入力切替処理により、各再生信号の入力状態に応じて、より高音質となる１つの再生信号が特定され、そして、特定された再生信号がスピーカシステム等に出力される。
つまり、ＤＶＤの２ｃｈリニアＰＣＭがＩＥＣ６０９５８を使用して伝送できないようになった場合において、より高音質な再生信号（アナログ信号）が選択される。また、既存のＣＤの２ｃｈリニアＰＣＭが従来通りＩＥＣ６０９５８を使用してされた場合でも、より高音質な再生信号（デジタルグ信号）が選択される。
この結果、暗号化された信号のリニアＰＣＭ出力が禁止された場合でも、ユーザの利便性を損なうことなく、可能な限り高音質で信号を再生出力することができる。
【００４８】
上記の実施の形態では、デジタル再生機器１０がＣＤやＤＶＤを再生する場合について説明したが、再生する記録媒体はこれらに限られず任意である。例えば、ＳＡＣＤ（Super Audio CD）等を再生する場合にも適宜適用可能である。
【００４９】
以上説明したように、本発明によれば、暗号化された信号のリニアＰＣＭ出力が禁止された場合でも、ユーザの利便性を損なうことなく、可能な限り高音質で信号を再生出力することができる。
【図面の簡単な説明】
【００５０】
【図１】本発明の実施の形態に係るオーディオシステムの構成の一例を示すブロック図である。
【図２】デジタル再生機器から出力されるデジタル信号及びアナログ信号の関係を説明するための模式図である。
【図３】ＡＶアンプにて各再生信号の入力状態に応じて選択する再生信号（デジタル信号及び再生信号）について説明するための模式図である。
【図４】本発明の実施の形態に係る入力切替処理を説明するためのフローチャートである。
【符号の説明】
【００５１】
１０  デジタル再生機器
１１  ２ｃｈリニアＰＣＭ再生部
１２  圧縮２ｃｈ再生部
１３  マルチチャンネル再生部
１４  Ｄ／Ａコンバータ
１５  ６０９５８インタフェース
１６  ６１９３７インタフェース
２０  アナログ再生機器
３０  ＡＶアンプ
３１  アナログ入力部
３２  ６０９５８インタフェース
３３  ６１９３７インタフェース
３４  セレクタ
３５  制御部
３６  アンプ
【図１】
2007213700.tif 000003
【図２】
2007213700.tif 000004
【図３】
2007213700.tif 000005
【図４】
2007213700.tif 000006
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
デジタル音声データを再生するデジタル再生手段と、
前記デジタル再生手段により再生されたデジタル信号を、非圧縮方式によるデジタル信号にて出力する第１の出力手段と、
前記デジタル再生手段により再生されたデジタル信号を、圧縮方式によるデジタル信号にて出力する第２の出力手段と、を備え、
前記デジタル再生手段が再生する際に、記録された音声データの種別に応じて、前記第１及び第２の出力手段の何れか一方から出力する、
ことを特徴とする再生装置。
【請求項２】
前記デジタル再生手段により再生されたデジタル信号をアナログ信号にて出力する第３の出力手段を更に備えることを特徴とする請求項１に記載の再生装置。
【請求項３】
前記デジタル再生手段は、暗号化されたリニアＰＣＭ（Pulse Code Modulation）信号を再生する際に、再生したデジタル信号を圧縮して前記第２の出力手段を介して出力させる、
ことを特徴とする請求項１又は２に記載の再生装置。
【請求項４】
前記デジタル再生手段は、音楽ＣＤ（Compact Disc）からデジタル信号を再生する際に、前記第１の出力手段を介して出力させ、音楽ＤＶＤ（Digital Versatile Disk）からデジタル信号を再生する際に、前記第２の出力手段を介して出力させる、
ことを特徴とする請求項１乃至３の何れか１項に記載の再生装置。
【請求項５】
外部から供給され得る複数の音声信号を切り替えて入力する入力切替装置であって、
非圧縮方式によるデジタル信号を入力する第１の入力手段と、
圧縮方式によるデジタル信号を入力する第２の入力手段と、
アナログ信号を入力する第３の入力手段と、
前記第１、第２及び第３の入力手段が入力した何れかの信号を選択する選択手段と、
前記選択手段を制御する制御手段と、を備え、
前記制御手段は、前記第１、第２及び第３の入力手段が入力している信号の入力状態に応じて、より高音質となる何れかの信号を特定し、特定した信号を前記選択手段に選択させる、
ことを特徴とする入力切替装置。
【請求項６】
前記制御手段は、前記第１の入力手段がデジタル信号を入力している場合に、前記選択手段に前記第１の入力手段が入力したデジタル信号を選択させ、前記第２の入力手段がデジタル信号を入力しており、かつ、前記第３の入力手段がアナログ信号を入力している場合に、前記選択手段に前記第３の入力手段が入力したアナログ信号を選択させる、
ことを特徴とする請求項５に記載の入力切替装置。
【請求項７】
前記制御手段は、前記第２の入力手段がデジタル信号を入力しており、かつ、前記第３の入力手段がアナログ信号を入力していない場合に、前記選択手段に前記第２の入力手段が入力したデジタル信号を選択させる、
ことを特徴とする請求項６に記載の入力切替装置。
【手続補正２】
【補正対象書類名】明細書
【補正対象項目名】０００８
【補正方法】変更
【補正の内容】
【０００８】
上記目的を達成するため、本発明の第１の観点に係る再生装置は、
デジタル音声データを再生するデジタル再生手段と、
前記デジタル再生手段により再生されたデジタル信号を、非圧縮方式によるデジタル信号にて出力する第１の出力手段と、
前記デジタル再生手段により再生されたデジタル信号を、圧縮方式によるデジタル信号にて出力する第２の出力手段と、を備え、
前記デジタル再生手段が再生する際に、記録された音声データの種別に応じて、前記第１及び第２の出力手段の何れか一方から出力する、
ことを特徴とする。
【手続補正３】
【補正対象書類名】明細書
【補正対象項目名】００１２
【補正方法】変更
【補正の内容】
【００１２】
上記目的を達成するため、本発明の第２の観点に係る入力切替装置は、
外部から供給され得る複数の音声信号を切り替えて入力する入力切替装置であって、
非圧縮方式によるデジタル信号を入力する第１の入力手段と、
圧縮方式によるデジタル信号を入力する第２の入力手段と、
アナログ信号を入力する第３の入力手段と、
前記第１、第２及び第３の入力手段が入力した何れかの信号を選択する選択手段と、
前記選択手段を制御する制御手段と、を備え、
前記制御手段は、前記第１、第２及び第３の入力手段が入力している信号の入力状態に応じて、より高音質となる何れかの信号を特定し、特定した信号を前記選択手段に選択させる、
ことを特徴とする。